【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
被験者の身体分区についての生体インピーダンスデータを分析する装置の制御方法において、前記身体分区が外皮表面を有し、前記方法が、
（ａ）  被験者の身体分区に電流を通過させるように、前記身体分区の外皮表面上の少なくとも２つの点に交流電流を複数の周波数において印加した際の、該複数の周波数のそれぞれについて、前記外皮表面上の別の少なくとも２つの点の間の電圧差を記録する工程、及び
（ｂ）  前記複数の周波数における前記記録された電圧差を用いて、前記分区の筋肉含量、脂肪含量及び細胞外液含量を示す少なくとも１つの数値を決定する工程、
を有してなり、
前記記録された電圧差は絶対値情報及び位相情報のいずれをも含み、
前記数値は、１つは主に前記分区の筋肉成分を表す直列の静電容量ＣＭ及び抵抗ＲＩを含み、１つは主に前記分区の脂肪成分を表す直列の静電容量ＣＦ及び抵抗ＲＦを含み、１つは抵抗を含む、３つの平行経路を少なくとも有する前記分区についてのインピーダンスモデルを用いて決定されることを特徴とする制御方法。
【請求項２】
前記少なくとも１つの数値が、前記分区の筋肉含量を示し、ＲＩ値を前記分区の筋肉含量値に変換する相関方程式から得られることを特徴とする請求項１に記載の制御方法。
【請求項３】
前記相関方程式が、
（ｉ）  複数の較正被験者において前記工程（ａ）及び（ｂ）を実施して、該校正被験者のそれぞれについてＲＩ値を得る、
（ii）  前記校正被験者の前記分区の磁気共鳴画像から、前記複数の校正被験者のそれぞれについて前記分区の筋肉含量についての値を得る、及び
（iii）前記工程（ｉ）及び（ii）で得られた値に関して回帰分析を実施して前記相関方程式を得る、
ことによって得られることを特徴とする請求項２に記載の制御方法。
【請求項４】
前記回帰分析により前記相関方程式に対して少なくとも０.５のＲ２値が得られることを特徴とする請求項３に記載の方法。
【請求項５】
前記複数の較正被験者が、少なくとも１人の体容積指数が２０より低い較正被験者及び少なくとも１人の体容積指数が３５より高い較正被験者を含むことを特徴とする請求項４に記載の方法。
【請求項６】
前記少なくとも１つの数値が前記分区の脂肪含量を示し、ＲＦ値を前記分区についての脂肪含量値に変換する相関方程式から得られることを特徴とする請求項１に記載の方法。
【請求項７】
前記相関方程式が、
（ｉ）  複数の較正被験者において前記工程（ａ）及び（ｂ）を実施して、該校正被験者のそれぞれについてＲＦ値を得る、
（ii）  前記校正被験者の前記分区の磁気共鳴画像から、前記複数の校正被験者のそれぞれについて前記分区の脂肪含量についての値を得る、及び
（iii）前記工程（ｉ）及び（ii）で得られた値に関して回帰分析を実施して前記相関方程式を得る、
ことによって得られることを特徴とする請求項６に記載の方法。
【請求項８】
前記回帰分析により前記相関方程式に対して少なくとも０.５のＲ２値が得られることを特徴とする請求項７に記載の方法。
【請求項９】
前記複数の較正被験者が、少なくとも１人の体容積指数が２０より低い較正被験者及び少なくとも１人の体容積指数が３５より高い較正被験者を含むことを特徴とする請求項８に記載の方法。
【請求項１０】
抵抗を含む前記平行経路が主に前記分区の細胞外液成分を表すことを特徴とする請求項１に記載の方法。
【請求項１１】
抵抗を含む前記平行経路が主に前記分区の細胞外液成分と骨成分の並列結合を表すことを特徴とする請求項１に記載の方法。
【請求項１２】
前記インピーダンスモデルが前記３本の平行経路に直列の静電容量をさらに有することを特徴とする請求項１に記載の方法。
【請求項１３】
前記複数の周波数が５ｋＨｚ以上の周波数及び１０００ｋＨｚ以下の周波数を含むことを特徴とする請求項１に記載の方法。
【請求項１４】
前記印加交流電流及び前記電圧差が前記複数の周波数におけるインピーダンス値を計算するために用いられ、前記工程（ｂ）が該インピーダンス値への曲線のあてはめを含むことを特徴とする請求項１に記載の方法。
【請求項１５】
（ｉ）  前記曲線のあてはめが、
【数１】
2007521102.tif 000001
のタイプの方程式を用い、ここで、Ｚ総合がインピーダンスであり、ωはラジアン/秒を単位とする角周波数であり、
【数２】
2007521102.tif 000002
であり、Ｐ１，Ｐ２，Ｐ３，Ｐ４，Ｑ１，Ｑ２及びＱ３は前記インピーダンスモデルに用いられる電気要素の関数であるパラメータ群であって、
（ii）  前記被験者について前記曲線のあてはめから得られる前記Ｐ１，Ｐ２，Ｐ３，Ｐ４，Ｑ１，Ｑ２及びＱ３の値が前記被験者についてのＲＩ値及び／またはＲＦ値を決定するために用いられる、
ことを特徴とする請求項１４に記載の方法。
【請求項１６】
前記工程（ａ）において、前記外皮表面上の前記少なくとも２つの点が、
（ｉ）  前記被験者の脚上の２つの点、
（ii）  前記被験者の腓上の２つの点、
（iii） 前記被験者の腕上の２つの点
（iv）  前記被験者の二頭筋上の２つの点、
（ｖ）  前記被験者の腹部上の２つの点、
（vi）  前記被験者の左手上の１つの点及び前記被験者の右手上の１つの点、
（vii） 前記被験者の左足上の１つの点及び前記被験者の右足上の１つの点、または
（viii）前記被験者の一方の手または前記被験者の一方の腕の上の１つの点及び前記被験者の一方の脚または前記被験者の一方の足の上の１つの点、
を含むことを特徴とする請求項１に記載の方法。
【請求項１７】
前記分区の筋肉含量、脂肪含量及び／または細胞外液含量を示す前記少なくとも１つの数値をユーザに表示する工程をさらに含むことを特徴とする請求項１に記載の方法。
【請求項１８】
前記方法が同じ被験者について一度に２つまたはそれより多くの点において実施されることを特徴とする請求項１に記載の方法。
【請求項１９】
前記方法が、
（ｉ）  透析処置、
（ii）  エクササイズプログラム、
（iii） リハビリテーションプログラム、及び／または
（iv）  体重コントロールプログラム、
に関連して実施されることを特徴とする請求項１に記載の方法。
【請求項２０】
生体インピーダンスデータを分析する装置において、
（ａ）  電流に前記分区を通過させるように、被験者の身体分区の外皮表面上の少なくとも２つの点に交流電流を複数の周波数において印加する工程、
（ｂ）  前記複数の周波数のそれぞれについて、前記外皮表面上の別の少なくとも２つの点の間の電圧差を記録する工程、及び
（ｃ）  前記複数の周波数における前記記録された電圧差を用いて前記分区の筋肉含量、脂肪含量及び細胞外液含量を示す少なくとも１つの数値を決定する工程、
を実施するようにプログラムされたコンピュータを備え、
前記記録された電圧差は絶対値情報及び位相情報のいずれをも含み、
前記数値は、１つは主に前記分区の筋肉成分を表す直列の静電容量ＣＭ及び抵抗ＲＩを含み、１つは主に前記分区の脂肪成分を表す直列の静電容量ＣＦ及び抵抗ＲＦを含み、１つは抵抗を含む、３つの平行経路を少なくとも有する前記分区についてのインピーダンスモデルを用いて決定される、ことを特徴とする装置。
【請求項２１】
被験者の身体分区についてのインピーダンスデータを分析する装置の制御方法において、前記身体分区が外皮表面を有し、該方法が、
（ａ）  被験者の身体分区に電流を通過させるように、前記身体分区の外皮表面上の少なくとも２つの点に交流電流を複数の周波数において印加した際の、該複数の周波数のそれぞれについての、前記外皮表面上の別の少なくとも２つの点の間の電圧差を記録する工程、及び
（ｂ）  前記複数の周波数における前記記録された電圧差を用いて前記分区の脂肪含量及び／または細胞外液含量を示す少なくとも１つの数値を決定する工程、
を有してなり、
前記記録された電圧差は絶対値情報及び位相情報のいずれをも含み、
前記数値は、一方は主に前記分区の脂肪成分を表す直列の静電容量ＣＦ及び抵抗ＲＦを含み、他方は主に前記分区の細胞外液成分を表す抵抗を含む、２つの平行経路を少なくとも有する前記分区についてのインピーダンスモデルを用いて決定され、
（ｉ）  前記２つの平行経路だけが前記皮膚内部の前記分区の組成を表すインピーダンスモデルの平行経路であり、
（ii）  前記印加される前記複数の周波数のそれぞれは１０ｋＨｚ以下である、
ことを特徴とする制御方法。
【請求項２２】
前記少なくとも１つの数値が前記分区の脂肪含量を示し、ＲＦ値を前記分区についての脂肪含量値に変換する相関方程式から得られることを特徴とする請求項２１に記載の方法。
【請求項２３】
前記相関方程式が、
（ｉ）  複数の較正被験者において前記工程（ａ）及び（ｂ）を実施して、該校正被験者のそれぞれについてＲＦ値を得る、
（ii）  前記校正被験者の前記分区の磁気共鳴画像から、前記複数の校正被験者のそれぞれについて前記分区の脂肪含量についての値を得る、及び
（iii）前記工程（ｉ）及び（ii）で得られた値に関して回帰分析を実施して前記相関方程式を得る工程、
によって得られることを特徴とする請求項２２に記載の方法。
【請求項２４】
前記工程（ａ）において、前記外皮表面上の前記少なくとも２つの点が、
（ｉ）  前記被験者の脚上の２つの点、
（ii）  前記被験者の腓上の２つの点、
（iii） 前記被験者の腕上の２つの点
（iv）  前記被験者の二頭筋上の２つの点、
（ｖ）  前記被験者の腹部上の２つの点、
（vi）  前記被験者の左手上の１つの点及び前記被験者の右手上の１つの点、
（vii） 前記被験者の左足上の１つの点及び前記被験者の右足上の１つの点、または
（viii）前記被験者の一方の手または前記被験者の一方の腕の上の１つの点及び前記被験者の一方の脚または前記被験者の一方の足の上の１つの点、
を含むことを特徴とする請求項２１に記載の方法。
【請求項２５】
前記分区の脂肪含量及び／または細胞外液含量を示す少なくとも１つの数値をユーザに表示する工程をさらに含むことを特徴とする請求項２１に記載の方法。
【請求項２６】
前記方法が同じ被験者について一度に２つまたはそれより多くの点において実施されることを特徴とする請求項２１に記載の方法。
【請求項２７】
前記方法が、
（ｉ）  透析処置、
（ii）  エクササイズプログラム、
（iii） リハビリテーションプログラム、及び／または
（iv）  体重コントロールプログラム、
に関連して実施されることを特徴とする請求項２６に記載の方法。
【請求項２８】
生体インピーダンスデータを分析するための装置において、
（ａ）  電流に前記分区を通過させるように、被験者の身体分区の外皮表面上の少なくとも２つの点に交流電流を複数の周波数において印加する工程、
（ｂ）  前記複数の周波数のそれぞれについて、前記外皮表面上の別の少なくとも２つの点の間の電圧差を記録する工程、及び
（ｃ）  前記複数の周波数における前記記録された電圧差を用いて前記分区の脂肪含量及び／または細胞外液含量を示す少なくとも１つの数値を決定する工程、
を実施するようにプログラムされたコンピュータを備え、
前記記録された電圧差は絶対値情報及び位相情報のいずれをも含み、
前記数値は、一方は主に前記分区の脂肪成分を表す直列の静電容量ＣＦ及び抵抗ＲＦを含み、他方は主に前記分区の細胞外液成分を表す抵抗を含む、２つの平行経路を少なくとも有する前記分区についてのインピーダンスモデルを用いて決定され、
（ｉ）  前記２つの平行経路だけが前記皮膚内部の前記分区の組成を表すインピーダンスモデルの平行経路であり、
（ii）  前記工程（ａ）において印加される前記複数の周波数のそれぞれは１０ｋＨｚ以下である、
ことを特徴とする装置。
【請求項２９】
皮膚で覆われた身体分区の部分の周長を決定する装置の制御方法において、
（ａ）  前記部分の周りに、一群の電極であって、第１電極及び最終電極を有し、前記第１電極と前記最終電極の間隔を除く、前記群の全ての電極間の周縁距離が既知の、一群の電極を付けて、実質的に皮膚に侵入しない低周波数の電流を印加した際の、前記第１電極及び前記最終電極以外の前記一群の電極の内の少なくとも２つの電極の間の抵抗値を決定する工程、
（ｂ）  前記工程（ａ）において決定された抵抗値及び前記２つの電極間の前記既知の周縁距離から前記皮膚について単位長当りの比抵抗値を決定する工程、
（ｃ）  実質的に皮膚に侵入しない低周波数の電流を印加した際の前記一群の電極の内の前記第１電極と前記最終電極の間の抵抗値を決定する工程、及び
（ｄ）  前記工程（ｃ）において測定された抵抗値及び前記工程（ｂ）において決定された前記単位長当りの比抵抗値から前記一群の電極の内の前記第１電極と前記最終電極の間隔を計算する工程、
を有してなることを特徴とする制御方法。
【請求項３０】
前記第１電極及び前記最終電極を除く、全ての隣接対の電極間の前記抵抗値が、前記工程（ａ）において決定され、前記比抵抗値を決定するための前記工程（ｂ）において用いられることを特徴とする請求項２９に記載の方法。
【請求項３１】
前記第１電極及び前記最終電極を除き、隣接対の電極の間隔が等しいことを特徴とする請求項２９に記載の方法。
【請求項３２】
前記一群の電極がベルト上に載せられていることを特徴とする請求項２９に記載の方法。
【請求項３３】
皮膚によって覆われた身体分区の一部の周長を決定する装置において、
（ａ）  前記部分の周りに、一群の電極であって、第１電極及び最終電極を有し、前記第１電極と前記最終電極の間隔を除く、前記群の全ての電極間の周縁距離が既知の、一群の電極を付けた際に、実質的に皮膚に侵入しない低周波数の電流を印加することによって、前記第１電極及び前記最終電極以外の前記一群の電極の内の少なくとも２つの電極の間の抵抗値を決定する工程、
（ｂ）  前記工程（ａ）において決定された抵抗値及び前記２つの電極間の前記既知の周縁距離から前記皮膚について単位長当りの比抵抗値を決定する工程、
（ｃ）  実質的に皮膚に侵入しない低周波数の電流を印加することによって、前記一群の電極の内の前記第１電極と前記最終電極の間の抵抗値を決定する工程、及び
（ｄ）  前記工程（ｃ）において測定された抵抗値及び前記工程（ｂ）において決定された前記単位長当りの比抵抗値から前記一群の電極の内の前記第１電極と前記最終電極の間隔を計算する工程、
を実施するためのプログラムされたコンピュータを備えることを特徴とする装置。